(57)【特許請求の範囲】
【請求項１】
画像形成機能の制御を行うメインＣＰＵと、当該メインＣＰＵの制御下でＦＡＸ機能の制御を行うＦＡＸＣＰＵとを有する画像形成装置であって、
前記メインＣＰＵは、
ＦＡＸ送信する画像データーのデーター量に基づいて送信完了予定時間を算出し、
前記ＦＡＸＣＰＵからＦＡＸ送信の成否を知らせる応答信号を受信することなく、前記ＦＡＸＣＰＵへのＦＡＸ送信を指示する送信開始信号の送信から前記送信完了予定時間が経過すると、前記ＦＡＸＣＰＵに状態確認信号を送信し、
前記状態確認信号に対する応答信号が受信されない場合には、前記ＦＡＸＣＰＵをリセットし、前記状態確認信号に対して送信中を示す応答信号が受信され、ＦＡＸ送信の開始から前記送信完了予定時間が経過している場合には、ＦＡＸ送信の終了を前記ＦＡＸＣＰＵに指示することを特徴とする画像形成装置。
【請求項２】
前記ＦＡＸＣＰＵは、リトライ待機中である場合に、前記状態確認信号に対して待機中を示す応答信号と共に、送信開始予定時刻を前記メインＣＰＵに送信し、
前記メインＣＰＵは、前記ＦＡＸＣＰＵからＦＡＸ送信の成否を知らせる応答信号を受信することなく、前記送信開始予定時刻から前記送信完了予定時間が経過すると、前記ＦＡＸＣＰＵに状態確認信号を送信することを特徴とする請求項１記載の画像形成装置。
【請求項３】
前記ＦＡＸＣＰＵは、ＦＡＸ送信中である場合に、前記状態確認信号に対して送信中を示す応答信号と共に、送信開始時刻を前記メインＣＰＵに送信し、
前記メインＣＰＵは、前記送信開始時刻から前記送信完了予定時間が経過しているか否かを判断することを特徴とする請求項１又は２記載の画像形成装置。
【発明の詳細な説明】
【技術分野】
【０００１】
本発明は、複写機、複合機、プリンター等の画像形成装置に係り、特にＦＡＸ機能を備えた画像形成装置に関する。
【背景技術】
【０００２】
ＦＡＸ機能を備えた複写機、複合機、プリンター等の画像形成装置では、ＦＡＸ機能はオプション機能となっていることが多い。従って、複写機、複合機、プリンター等の画像形成機能を制御するメインＣＰＵが実装されたメイン基板とは別に、ＦＡＸ機能を制御するＦＡＸＣＰＵが実装されたＦＡＸ基板が設けられていることが一般的であり、メインＣＰＵからＦＡＸＣＰＵにＦＡＸ送信の指示を行い、ＦＡＸＣＰＵがＦＡＸ送信を実行する。
【０００３】
このような構成の画像形成装置において、メインＣＰＵからＦＡＸＣＰＵにＦＡＸ送信の指示が行われた後に、静電気等が原因でＦＡＸ基板上のＦＡＸＣＰＵがエラー（ロック）を起こしてしまうことがあり、ＦＡＸ送信が中断されても、電話回線が通話状態のまま保持され続けてしまうことがある。そこで、ビジートーンを検出するビジートーン検出回路によって相手方ＦＡＸ装置による回線の切断を検出することで、ＦＡＸＣＰＵを強制リセットさせて回線を切断させ、電話回線が通話状態のまま保持され続けてしまうことを防止する技術が提案されている（例えば、特許文献１参照）。
【先行技術文献】
【特許文献】
【０００４】
【特許文献１】特開平１１−１１２６８６号公報
【発明の概要】
【発明が解決しようとする課題】
【０００５】
しかしながら、従来技術においては、ビジートーン検出回路というエラー検出用の特別の回路を設ける必要があり、コスト高になってしまう。また、ＦＡＸＣＰＵのエラー（ロック）以外にも、相手方ＦＡＸ装置が原因のＦＡＸ送信のエラーもあり、従来技術のようにＦＡＸＣＰＵに強制リセットをかけるだけでは、何度も同じエラーが繰り返されてしまうという問題点があった。
【０００６】
本発明の目的は、上記問題点に鑑み、従来技術の問題を解決し、エラー検出用の特別の回路を設けることなく、ＦＡＸＣＰＵが実行するＦＡＸ送信のエラーをメインＣＰＵで検出することができ、各種エラーに対して適切な対応を行うことができる画像形成装置を提供することにある。
【課題を解決するための手段】
【０００７】
本発明の画像形成装置は、画像形成機能の制御を行うメインＣＰＵと、当該メインＣＰＵの制御下でＦＡＸ機能の制御を行うＦＡＸＣＰＵとを有する画像形成装置であって、前記メインＣＰＵは、ＦＡＸ送信する画像データーのデーター量に基づいて送信完了予定時間を算出し、前記ＦＡＸＣＰＵからＦＡＸ送信の成否を知らせる応答信号を受信することなく、前記ＦＡＸＣＰＵへのＦＡＸ送信を指示する送信開始信号の送信から前記送信完了予定時間が経過すると、前記ＦＡＸＣＰＵに状態確認信号を送信し、前記状態確認信号に対する応答信号が受信されない場合には、前記ＦＡＸＣＰＵをリセットし、前記状態確認信号に対して送信中を示す応答信号が受信され、ＦＡＸ送信の開始から前記送信完了予定時間が経過している場合には、ＦＡＸ送信の終了を前記ＦＡＸＣＰＵに指示することを特徴とする。
さらに、本発明の画像形成装置において、前記ＦＡＸＣＰＵは、リトライ待機中である場合に、前記状態確認信号に対して待機中を示す応答信号と共に、送信開始予定時刻を前記メインＣＰＵに送信し、前記メインＣＰＵは、前記ＦＡＸＣＰＵからＦＡＸ送信の成否を知らせる応答信号を受信することなく、前記送信開始予定時刻から前記送信完了予定時間が経過すると、前記ＦＡＸＣＰＵに状態確認信号を送信するようにしても良い。
さらに、本発明の画像形成装置において、前記ＦＡＸＣＰＵは、ＦＡＸ送信中である場合に、前記状態確認信号に対して送信中を示す応答信号と共に、送信開始時刻を前記メインＣＰＵに送信し、前記メインＣＰＵは、前記送信開始時刻から前記送信完了予定時間が経過しているか否かを判断するようにしても良い。
【発明の効果】
【０００８】
本発明によれば、メインＣＰＵは、ＦＡＸ送信する画像データーのデーター量に基づいて送信完了予定時間を算出し、ＦＡＸＣＰＵからＦＡＸ送信の成否を知らせる応答信号を受信することなく、ＦＡＸＣＰＵへのＦＡＸ送信を指示する送信開始信号の送信から送信完了予定時間が経過すると、ＦＡＸＣＰＵに状態確認信号を送信し、状態確認信号に対する応答信号が受信されない場合には、ＦＡＸＣＰＵをリセットし、状態確認信号に対して送信中を示す応答信号が受信され、ＦＡＸ送信の開始から前記送信完了予定時間が経過している場合には、ＦＡＸ送信の終了をＦＡＸＣＰＵに指示するように構成することにより、エラー検出用の特別の回路を設けることなく、ＦＡＸＣＰＵが実行するＦＡＸ送信のエラーをメインＣＰＵで検出することができ、各種エラーに対して適切な対応を行うことができるという効果を奏する。
【図面の簡単な説明】
【０００９】
【図１】本発明に係る画像形成装置の実施の形態の内部構成を示す概略模式断面図である。
【図２】図１に示す画像形成装置の概略構成を示すブロック図である。
【図３】図２に示すメイン制御部によるＦＡＸ送信エラー検出動作を説明するためのフローチャートである。
【発明を実施するための形態】
【００１０】
次に、本発明の実施の形態を、図面を参照して具体的に説明する。
本実施の形態の画像形成装置１は、複写機であり、図１を参照すると、原稿読取部２と、原稿給送部３と、本体部４と、スタックトレイ５と、操作部６とを備えている。原稿読取部２は、本体部４の上部に配設され、原稿給送部３は、原稿読取部２の上部に配設されている。スタックトレイ５は、本体部４の形成された記録紙の排出口４１側に配設され、また、操作部６は、画像形成装置１の手前側に配設されている。
【００１１】
操作部６には、液晶表示部６１、テンキー６２が設けられている。ユーザーは操作部６を操作して指示を入力することで、画像形成装置１の各種の設定をし、画像形成等の各種機能を実行させる。液晶表示部６１は、画像形成装置１の状態を示したり、画像形成状況や印刷部数を表示したり、タッチパネルとして、両面印刷や白黒反転等の機能や倍率設定、濃度設定など各種設定を行えるようになっている。その他、操作部６には、画像形成を開始するようにユーザーが指示するスタートボタン、画像形成を中止する際等に使用するストップ／クリアボタン、画像形成装置１の各種設定をデフォルト状態にする際に使用するリセットボタン等が設けられている。
【００１２】
原稿読取部２は、スキャナー２１と、プラテンガラス２２と、原稿読取スリット２３とを備える。スキャナー２１は、露光ランプ及びＣＣＤ（Ｃｈａｒｇｅ  Ｃｏｕｐｌｅｄ  Ｄｅｖｉｃｅ）センサー等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交する方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データーを取得し、取得した画像データーを本体部４に出力する。また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データーを取得し、取得した画像データーを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて、原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４は、記録部７を備えると共に、給紙部４２と、用紙搬送路４３と、搬送ローラー４４と、排出ローラー４５とを備えている。給紙部４２は、複数の給紙カセット４２ａ１〜４２ａｎと、給紙カセット４２ａ１〜４２ａｎから記録紙を１枚ずつ用紙搬送路４３に繰り出す給紙ローラー４２ｂ１〜４２ｂｎとを備えている。給紙ローラー４２ｂ１〜４２ｂｎ、搬送ローラー４４及び排出ローラー４５が搬送部として機能し、記録紙が搬送される。給紙ローラー４２ｂ１〜４２ｂｎによって用紙搬送路４３に繰り出された記録紙は、搬送ローラー４４によって記録部７に搬送される。そして、記録部７によって記録が施された記録紙は、排出ローラー４５によってスタックトレイ５に排出される。
【００１６】
記録部７は、感光体ドラム７１と、露光部７２と、画像形成部７３と、転写部７４と、定着部７５とを備えている。露光部７２は、レーザー装置やミラー等を備えた光学ユニットであり、画像データーに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部７３によって感光体ドラム７１上に形成されたトナー像を記録紙に転写させる。定着部７５は、転写部７４によってトナー像が転写された記録紙を加熱してトナー像を記録紙に定着させる。
【００１７】
画像形成装置１は、図２を参照すると、メイン制御部８が実装されているメイン基板８ａと、ＦＡＸ制御部９が実装されているＦＡＸ基板９ａとを備えている。上述の原稿読取部２、原稿給紙部３、搬送部（給紙ローラー４２ｂ１〜４２ｂｎ、搬送ローラー４４、排出ローラー４５）、操作部６及び記録部７は、メイン制御部８に接続され、メイン制御部８によって動作制御される。また、メイン基板８ａには、メイン制御部８に接続された記憶部１０と、画像処理部１１とが設けられている。
【００１８】
メイン制御部８は、メインＣＰＵ８１と、ＲＯＭ（Ｒｅａｄ  Ｏｎｌｙ  Ｍｅｍｏｒｙ）８２と、ＲＡＭ（Ｒａｎｄｏｍ  Ａｃｃｅｓｓ  Ｍｅｍｏｒｙ）８３等を備えたマイクロコンピュータ等の情報処理部である。ＲＯＭ８２や記憶部１０には画像形成装置１全体の動作制御を行うための制御プログラムが記憶されている。メインＣＰＵ８１は、ＲＯＭ８２や記憶部１０に記憶されている制御プログラムを読み出し、ＲＡＭ８３上に展開させることで制御プログラムを駆動させ、画像形成機能の制御を行う。
【００１９】
記憶部１０は、半導体メモリやＨＤＤ（Hard Disk Drive）等の記憶手段であり、制御用プログラムや制御用データー、原稿読取部２によって原稿を読み取ることで取得された画像データーや、ＦＡＸ通信によって受信された画像データー等が記憶される。
【００２０】
画像処理部１１は、専用の信号処理回路やＤＳＰ（Digital Signal Processor）等により構成され，画像データーに対して所定の画像処理を行う手段であり、例えば、所定の印刷ジョブ記述言語で記述された印刷ジョブを画像形成に用いるビッ トマップ画像データーに変換する処理や、拡大縮小処理や、階調調整、濃度調整等の画像改善処理が行われる。
【００２１】
ＦＡＸ制御部９は、ＦＡＸＣＰＵ９１と、ＲＯＭ（Ｒｅａｄ  Ｏｎｌｙ  Ｍｅｍｏｒｙ）９２と、ＲＡＭ（Ｒａｎｄｏｍ  Ａｃｃｅｓｓ  Ｍｅｍｏｒｙ）９３等を備えたマイクロコンピュータ等の情報処理部であり、メイン制御部８と接続され、メイン制御部８との間で画像データーの送受信や各種制御信号の送受信を行う。ＲＯＭ９２にはＦＡＸ送信の動作制御を行うための制御プログラムが記憶されている。ＦＡＸＣＰＵ９１は、ＲＯＭ９２に記憶されている制御プログラムを読み出し、ＲＡＭ９３上に展開させることで制御プログラムを駆動させ、メインＣＰＵ８１の制御下でＦＡＸ機能の制御を行う。
【００２２】
ＦＡＸＣＰＵ９１は、メインＣＰＵ８１からＦＡＸ送信を指示する送信開始信号を受信すると、ＦＡＸ送信を実行して、ＦＡＸ送信の成否を知らせる応答信号をメインＣＰＵ８１に送信する。なお、相手方ＦＡＸ装置が話し中等の理由でＦＡＸ送信が失敗に終わった場合には、ＦＡＸＣＰＵ９１は、所定の間隔を開けてＦＡＸ送信をリトライし、所定の回数ＦＡＸ送信を失敗すると、ＦＡＸ送信の失敗を知らせる応答信号をメインＣＰＵ８１に送信する。また、ＦＡＸＣＰＵ９１は、メインＣＰＵ８１からＦＡＸ送信を指示する状態確認信号を受信すると、ＦＡＸ送信中である場合には、「送信中」であることを示す応答信号と共に、送信開始時刻を、相手方ＦＡＸ装置が話し中等の理由でリトライ待機中である場合には、「待機中」であることを示す応答信号と共に、送信開始予定時刻をそれぞれメインＣＰＵ８１に送信する。
【００２３】
ＦＡＸ基板９ａには、ＦＡＸ制御部９に接続された画像メモリ１２と、符号化部１３と、復号化部１４と、モデム１５と、網制御部１６とが設けられている。画像メモリ１２は、ＦＡＸ送信を行う画像データーや、相手方ＦＡＸ装置からＦＡＸ受信した画像データーが一時的に保存される記憶手段である。また、符号化部１３は、送信する画像データーを規格上（例えばＧ３規格）定められた方式で符号化して、データー圧縮を行い、復号化部１４は、相手方ＦＡＸ装置から受信した画像データー（圧縮された画像データー）の復号化を行う。さらに、モデム１５は、ＦＡＸ送信する場合、符号化部１３により符号化された画像データーの変調を行うと共に、相手方ＦＡＸ装置から受信した画像データーの復調を行う。網制御部１６は、交換機に対し回線の接続、相手側のＦＡＸ番号の通知、切断、通信先等の変更等の処理を行う部分であり、公衆回線に接続されている。
【００２４】
次に、メインＣＰＵ８１によるＦＡＸ送信エラー検出動作について図３を参照して詳細に説明する。
【００２５】
まず、メインＣＰＵ８１は、操作部６からの入力によってＦＡＸ送信指示を受け付けると、変数ｎを１にセットする（ステップＳ１）と共に、送信する画像データーのデーター量に基づいて、送信完了予定時間Ｔを算出する（ステップＳ２）。なお、送信完了予定時間Ｔは、ＦＡＸ送信を開始してから終了するまでの時間の予測値である。送信完了予定時間Ｔの算出には、送信する画像データーのデーター量以外に、発呼に要する時間、符号化部１３で符号化する際の圧縮率、回線速度等のパラメーターが必要になるが、これらパラメーターを予め設定しておくことで、送信する画像データーのデーター量に基づいて送信完了予定時間Ｔを概算することができる。また、発呼に要する時間と、符号化部１３で符号化する際の圧縮率と、回線速度とは、実測値としてＦＡＸＣＰＵ９１によって把握可能であり、ＦＡＸＣＰＵ９１からメインＣＰＵ８１に実測値を通知して送信完了予定時間Ｔの算出に用いるようにしても良い。
【００２６】
次に、メインＣＰＵ８１は、ＦＡＸ送信を指示する送信開始信号をＦＡＸ制御部９に送信し（ステップＳ３）、ＦＡＸＣＰＵ９１からのＦＡＸ送信の成否を知らせる応答信号の受信を待つ（ステップＳ４）と共に、ステップＳ３の送信開始信号の送信から送信完了予定時間Ｔの経過を監視する（ステップＳ５）。
【００２７】
ステップＳ５で送信完了予定時間Ｔが経過する以前に、ステップＳ４でＦＡＸＣＰＵ９１からの応答信号を受信した場合には、メインＣＰＵ８１は、応答信号が「送信成功」を示すものであるか、「送信失敗」を示すものであるかを判断する（ステップＳ６）。ステップＳ６で応答信号が「送信成功」を示すものである場合には、メインＣＰＵ８１は、操作部６の液晶表示部６１にＦＡＸ送信成功のメッセージを表示させ、ＦＡＸ送信成功をユーザーに報知する（ステップＳ７）。また、ステップＳ６で応答信号が「送信失敗」を示すものである場合には、メインＣＰＵ８１は、操作部６の液晶表示部６１にＦＡＸ送信失敗のメッセージを表示させ、ＦＡＸ送信失敗をユーザーに報知する（ステップＳ８）。
【００２８】
ステップＳ４でＦＡＸＣＰＵ９１からの応答信号を受信する前に、ステップＳ５で送信完了予定時間Ｔが経過した場合には、メインＣＰＵ８１は、ＦＡＸ送信の状態を確認する状態確認信号をＦＡＸＣＰＵ９１に送信し（ステップＳ９）、ＦＡＸＣＰＵ９１から応答信号が受信されるか否かを判断する（ステップＳ１０）。ＦＡＸＣＰＵ９１が正常に機能している状態では、ステップＳ９の状態確認信号に対して、ＦＡＸＣＰＵ９１は、ＦＡＸ送信中である場合には、「送信中」であることを示す応答信号と共に、送信開始時刻を、相手方ＦＡＸ装置が話し中等の理由でリトライ待機中である場合には、「待機中」であることを示す応答信号と共に、送信開始予定時刻をそれぞれメインＣＰＵ８１に送信する。
【００２９】
ステップＳ１０で、ＦＡＸＣＰＵ９１から応答信号を受信した場合には、メインＣＰＵ８１は、「送信中」であることを示す応答信号か、「待機中」であることを示す応答信号かを判断する（ステップＳ１１）。
【００３０】
ステップＳ１１で、「待機中」であることを示す応答信号である場合には、ステップＳ４に戻り、メインＣＰＵ８１は、ステップＳ４で、ＦＡＸＣＰＵ９１からのＦＡＸ送信の成否を知らせる応答信号の受信を待つと共に、ステップＳ５で、送信開始予定時刻から送信完了予定時間Ｔの経過を監視する。
【００３１】
一方、ステップＳ１１で、「送信中」であることを示す応答信号である場合には、メインＣＰＵ８１は、送信開始時刻から送信完了予定時間Ｔが経過しているか否かを判断する（ステップＳ１２）。ステップＳ１２で、送信開始時刻から送信完了予定時間Ｔが経過している場合には、メインＣＰＵ８１は、ＦＡＸ送信の終了と、回線の切断とを指示する送信切断信号をＦＡＸＣＰＵ９１に送信し（ステップＳ１３）、操作部６の液晶表示部６１にＦＡＸ送信失敗のメッセージを表示させ、ＦＡＸ送信失敗をユーザーに報知する（ステップＳ８）。これにより、ＦＡＸＣＰＵ９１は、相手方ＦＡＸ装置の問題によって、ＦＡＸ送信を終了させることができない状態になっても、メインＣＰＵ８１の指示によって、ＦＡＸ送信の終了と、回線の切断とを強制的に実行することができる。なお、ステップＳ１２で送信開始時刻から送信完了予定時間Ｔの経過を判断することで、リトライ等の理由で発呼が遅れた場合にも、送信途中で誤ってＦＡＸ送信が終了されることを防止している。
【００３２】
ステップＳ１２で、送信開始時刻から送信完了予定時間Ｔが経過していない場合には、ステップＳ４に戻り、メインＣＰＵ８１は、ステップＳ４で、ＦＡＸＣＰＵ９１からのＦＡＸ送信の成否を知らせる応答信号の受信を待つと共に、ステップＳ５で、送信開始時刻から送信完了予定時間Ｔの経過を監視する。
【００３３】
ステップＳ１０で、ＦＡＸＣＰＵ９１から応答信号が受信されない場合には、メインＣＰＵ８１は、ＦＡＸＣＰＵ９１が静電気等の理由でエラー（ロック）を起こしたと判断し、ＦＡＸＣＰＵ９１をリセットさせる（ステップＳ１４）。次に、メインＣＰＵ８１は、変数ｎが予め設定されている設定数Ｎに到達したか否かを判断し（ステップＳ１５）、変数ｎが予め設定されている設定数Ｎに到達していない場合には、変数ｎをインクリメントし（ステップＳ１６）、ＦＡＸＣＰＵ９１の再立ち上げ後に、ステップＳ３に戻って、ＦＡＸ送信を指示する送信開始信号をＦＡＸ制御部９に送信する。なお、ＦＡＸＣＰＵ９１のエラー（ロック）によって電話回線が通話状態のまま保持されていても、ＦＡＸＣＰＵ９１のリセットによって、ＦＡＸＣＰＵ９１に接続された網制御部１６も初期化されるため、電話回線を切断させることができる。
【００３４】
ステップＳ１５で、変数ｎが予め設定されている設定数Ｎに到達した場合、すなわちＦＡＸＣＰＵ９１をリセットさせたにも拘わらず、ＦＡＸＣＰＵ９１のエラー（ロック）がＮ回繰り返された場合には、メインＣＰＵ８１は、操作部６の液晶表示部６１にＦＡＸＣＰＵ９１のエラーであることを示すメッセージを表示させ、ＦＡＸＣＰＵ９１のエラーをユーザーに報知する（ステップＳ１７）。
【００３５】
以上説明したように本実施の形態においては、メインＣＰＵ８１は、ＦＡＸ送信する画像データーのデーター量に基づいて送信完了予定時間Ｔを算出し、ＦＡＸＣＰＵ９１からＦＡＸ送信の成否を知らせる応答信号を受信することなく、ＦＡＸＣＰＵ９１へのＦＡＸ送信を指示する送信開始信号の送信から送信完了予定時間Ｔが経過すると、ＦＡＸＣＰＵ９１に状態確認信号を送信し、状態確認信号に対する応答信号が受信されない場合には、ＦＡＸＣＰＵ９１をリセットし、状態確認信号に対して送信中を示す応答信号が受信され、ＦＡＸ送信の開始から送信完了予定時間Ｔが経過している場合には、ＦＡＸ送信の終了をＦＡＸＣＰＵ９１に指示するように構成されている。これにより、本実施の形態では、エラー検出用の特別の回路を設けることなく、ＦＡＸＣＰＵ９１が実行するＦＡＸ送信のエラーをメインＣＰＵ８１で検出することができる。ＦＡＸＣＰＵ９１から状態確認信号に対する応答信号が受信されない場合には、ＦＡＸＣＰＵ９１に何らかのエラー（ロック）が発生したと判断して、メインＣＰＵ８１は、ＦＡＸＣＰＵ９１をリセットさせることができる。また、ＦＡＸＣＰＵ９１からの応答がある状態で、ＦＡＸ送信の開始から送信完了予定時間Ｔが経過している場合には、相手方ＦＡＸ装置に何らかのエラー（ロック）が発生したと判断して、メインＣＰＵ８１は、ＦＡＸ送信を終了させることができる。このように本実施の形態では、各種エラーに対して適切な対応を行うことができる。
【００３６】
さらに、本実施の形態において、ＦＡＸＣＰＵ９１は、リトライ待機中である場合に、メインＣＰＵ８１からの状態確認信号に対して待機中を示す応答信号と共に、送信開始予定時刻をメインＣＰＵ８１に送信し、メインＣＰＵ８１は、ＦＡＸＣＰＵ９１からＦＡＸ送信の成否を知らせる応答信号を受信することなく、送信開始予定時刻から送信完了予定時間Ｔが経過すると、ＦＡＸＣＰＵに状態確認信号を送信するように構成されている。また、ＦＡＸＣＰＵ９１は、ＦＡＸ送信中である場合に、メインＣＰＵ８１からの状態確認信号に対して送信中を示す応答信号と共に、送信開始時刻をメインＣＰＵ８１に送信し、メインＣＰＵ８１は、送信開始時刻から送信完了予定時間が経過しているか否かを判断するように構成されている。さらに、メインＣＰＵ８１は、送信開始時刻から送信完了予定時間が経過していない場合には、ＦＡＸＣＰＵ８１からＦＡＸ送信の成否を知らせる応答信号を受信することなく、送信開始時刻から送信完了予定時間が経過すると、ＦＡＸＣＰＵ９１に状態確認信号を送信するように構成されている。これにより、本実施の形態では、リトライ等の理由で発呼が遅れた場合にも、送信途中で誤ってＦＡＸ送信が終了されることを防止している。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３８】
１  画像形成装置
２  原稿読取部
３  原稿給送部
４  本体部
５  スタックトレイ
６  操作部
７  記録部
８  メイン制御部
８ａ  メイン基板
９  ＦＡＸ制御部
９ａ  ＦＡＸ基板
１０  記憶部
１１  画像処理部
１２  画像メモリ
１３  符号化部
１４  復号化部
１５  モデム
１６  網制御部
２１  スキャナー
２２  プラテンガラス
２３  原稿読取スリット
３１  原稿載置部
３２  原稿排出部
３３  原稿搬送機構
４１  排出口
４２  給紙部
４２ａ１〜４２ａｎ  給紙カセット
４２ｂ１〜４２ｂｎ  給紙ローラー
４３  用紙搬送路
４４  搬送ローラー
４５  排出ローラー
６１  液晶表示部
６２  テンキー
７１  感光体ドラム
７２  露光部
７３  画像形成部
７４  転写部
７５  定着部
８１  メインＣＰＵ
８２  ＲＯＭ
８３  ＲＡＭ
９１  ＦＡＸＣＰＵ
９２  ＲＯＭ
９３  ＲＡＭ
【図１】
0005667028.tif 000002
【図２】
0005667028.tif 000003
【図３】
0005667028.tif 000004